(57)【要約】      （修正有）【課題】ボルトやねじ等のトルク値を表示する表示盤を測定者の正面に向けたままトルク値を精密に測定できる手動式のトルクレンチを提供する。【解決手段】手動式のトルクレンチ１において、上面でワッシャー２ｅの上からねじ止めした略円柱状のヘッド２ａと、ヘッドに設けると共に連結部材である環状のメタル軸受と係止ねじを有した嵌合部材５とからなるレンチ部２と、レンチ部の嵌合部材を開口部３ｃに挿入し、上部に凹部を有し乾電池１０を内蔵した回動可能な筒状の握り部３と、レンチ部で測定したトルク値を表示画面に表示できると共に握り部の凹部に固定した表示盤４とからなることを特徴とする姿勢を替えずに測定できるトルクレンチを提供する。【選択図】  図３
2004299037.tif 000002
【特許請求の範囲】
【請求項１】
手動式のトルクレンチにおいて、上面でワッシャーの上からねじ止めした略円柱状のヘッドと、前記ヘッドに設けると共に連結部材である環状のメタル軸受と係止ねじを有した嵌合部材とからなるレンチ部と、前記レンチ部の嵌合部材を開口部に挿入し、上部に凹部を有し乾電池を内蔵した回動可能な筒状の握り部と、前記レンチ部で測定したトルク値を表示画面に表示できると共に握り部の凹部に固定した表示盤とからなることを特徴とする姿勢を替えずに測定できるトルクレンチ。
【請求項２】
レンチ部は、略円柱状のヘッドと、前記ヘッドに設けると共に握り部の開口部に挿入できる嵌合部材とを有しており、前記嵌合部材の外周には握り部を回動させる環状のメタル軸受、前記メタル軸受に隣接し握り部の回動を抑えるＯリング、前記Ｏリングを係止する環状の係止部材、前記係止部材を軸通した嵌合部材の上部に表示盤の底部に接触することで握り部の回動を抑える係止ねじとからなることを特徴とする請求項１項に記載の姿勢を変えずに測定できる手動式のトルクレンチ。
【請求項３】
メタル軸受を樹脂材料の軸受けとしたことを特徴とする請求項１項又は請求項２項に記載の姿勢を替えずに測定できるトルクレンチ。
【請求項４】
Ｏリングを波型のワッシャー又はスプリングワッシャーのいずれかにしたことを特徴とする請求項２項に記載の姿勢を替えずに測定できるトルクレンチ。
【発明の詳細な説明】
【０００１】
【発明が属する技術分野】
本発明は、ボルトやねじ等のトルク値を表示する表示盤を測定者の顔の正面に向けることでトルク値を正確に測定できる手動式のトルクレンチに関する改良発明である。
【０００２】
【従来の技術】
従来のトルクレンチは、レンチ部と棒状の握り部が一体化した固定式のレンチであり、握り部の上部にねじ等のトルク値を表示できる固定式の表示盤を設けたレンチである。
【０００３】
【発明が解決しようとする課題】
しかしながら、従来のトルクレンチを構成する表示盤は、握り部と一体化しいるために、ねじボルトを含んだねじ等のトルク値を計測する際、レンチ部を回動させる方向によっては、表示盤が測定者の顔の正面の位置に移動できないため、測定したトルク値が見づらい場合があった。例えば、冷蔵庫等の電化製品の筐体の上面に取り付けられたねじや、左右側面に取付られたねじ、筐体の下面に取り付けられたねじのトルク値を測定する場合である。
【０００４】
また、レンチ部又は握り部の接合部分を回転式に変更するだけでは、ねじ等のトルク値を計測する際、握り部が軽い力で３６０°以上に回動してしまうため、レンチ部から握り部の内部にかけて設けたストレーンゲージの配線のよじれや断線等を生じ、またストレーンゲージの配線を底面で接続した表示盤を他の部材に接触させ破損してしまうという問題があった。
【０００５】
また、握り部を軽く握るだけで自由に回動することは、トルクレンチの目的である最大のねじ等のトルク値を計測する際の妨げとなる。具体的には、ねじ等のトルク値を測定する際、微妙な力加減が要求されるため、握り部が回動しすぎると誤って過重をかけてしまい、トルク値を正確に計測できないという問題がある。
【０００６】
そこで、本発明は、トルクレンチでねじのトルク値を測定する場合、表示盤が測定者の顔の正面の位置からずれることなく、あらゆる位置に取り付けられたボルト等のトルク値を測定することができ、握り部の回動角度を制限し、表示盤を破損させず、より正確なねじ等のトルク値を計測できる手動式のトルクレンチを提供することである。
【０００７】
【課題を解決するための手段】
本発明は、上記の課題を解決するために、手動式のトルクレンチにおいて、上面でワッシャーの上からねじ止めした略円柱状のヘッドと、前記ヘッドに設けると共に連結部材である環状のメタル軸受と係止ねじを有した嵌合部材とからなるレンチ部と、前記レンチ部の嵌合部材を開口部に挿入し、上部に凹部を有し乾電池を内蔵した回動可能な筒状の握り部と、前記レンチ部で測定したトルク値を表示画面に表示できると共に握り部の凹部に固定した表示盤とからなることを特徴とする姿勢を替えずに測定できるトルクレンチを提供する。
【０００８】
【実施例】
以下に、添付図面に基づいて本発明である姿勢を変えずに測定できる手動式のトルクレンチの詳細を説明する。
【０００９】
図１は本発明である姿勢を変えずに測定できる手動式のトルクレンチの正面図である。図１に示したように、本発明であるトルクレンチ１は、手動式のトルクレンチにおいて、上面で着脱可能な棒状の嵌合部材５を固定するためにワッシャー２ｅの上からねじ２ｆ止めした略円柱状のヘッド２ａと前記ヘッド２ａに設けると共に連結部材である環状のメタル軸受６と係止部材である係止ねじ２ｃを有した嵌合部材２ｂとからなるレンチ部２と、前記レンチ部２の嵌合部材２ｂを開口部３ｃに挿入し、上部に凹部を有し乾電池１０を内蔵した４５°から３１５°の範囲で回動可能な筒状の握り部３と、前記レンチ部２で測定したトルク値を乾電池１０を起電力として表示画面に表示できると共に握り部３の凹部に固定した表示盤４とからなることを特徴とする姿勢を替えずに測定できるトルクレンチの構成とした。
【００１０】
レンチ部２は、略円柱状のヘッド２ａと、前記ヘッド２ａに設けると共に握り部３の開口部３ｃに挿入でき、内部に配線を通すための間隙２ｄを備えた嵌合部材２ｂからなり、前記嵌合部材２ｂの外周には、握り部３を回動させるための金属材料からなる環状のメタル軸受６、前記メタル軸受６に隣接し握り部３の回動を抑えるゴム製のＯリング７、前記Ｏリング７を係止する環状の係止部材８、前記係止部材８を軸通した嵌合部材２ｂの上部に表示盤４の底部に接触することで握り部３の回動を抑える係止ねじ２ｃとからなる。
【００１１】
ヘッド２ａの下面は円状の貫通孔を有し、前記貫通孔の内部には、ねじ等と嵌合する直方体の嵌合部材５を設けている。そして、本発明では、握り部３に内接したメタル軸受６に、嵌合部材２ｂが入り込むことで、トルク計測時にレンチ部２をねじ頭に固定させたままでも握り部３を回動することができ、表示盤４が常に測定者の正面の位置になる仕組みである。
【００１２】
握り部３は、左端部に開口部３ｃを設けた筒状の握り本体３ａと、開口部３ｃの反対側である右端部に設けたラバーゴム製のグリップ３ｂとからなり、握り本体３ａの上面には、表示盤４を固定するために、窪みである凹部３ｄを設けている。表示盤４とは嵌合部材５で測定したねじ等のトルク値を表示する装置である。
【００１３】
なお、嵌合部材５は、ねじ等のトルクを測定するために、嵌合式ボルト５ａを取り付けることができる。嵌合式ボルト５ａは略凹状の部材である。そして嵌合式ボルト５ａの上部には嵌合部材５を挿入するための長方形の孔を設け、下部にねじ等を嵌合させるための凹部を設けた着脱可能な部材である。次に図２に示したトルクレンチの平面図で表示盤４の詳細を説明する。
【００１４】
図２に示したように、本発明である姿勢を変えずに測定できる手動式のトルクレンチ１の表示盤４は、握り本体３ａの長手方向に対し、平行に取り付けられている。また、表示盤４は、長方形状の表示盤本体４ａと、表示盤本体４ａの上部に設けた表示画面４ｂとからなり、表示画面４ｂの下部には左から、測定したねじトルク値を表示画面から消去するクリアボタン４ｃ、ねじ等のトルク値の精度を設定するダウンボタン４ｄ、アップボタン４ｅ、表示盤４の主電源のＯＮ、ＯＦＦを行う電源ボタン４ｆからなる。
【００１５】
表示画面４ｂに表示したトルク値を消去するために、レンチ部２の左側面に孔を設けてリセットボタン２ｇを取り付けることもできる。なお、リセットボタン２ｇを取り付ける際の配線はレンチ部２の内部を経て表示盤４の底面で接続する。図３では本発明である姿勢を変えずに測定できる手動式のトルクレンチ１の縦断面図の詳細について説明をする。
【００１６】
図３に示したように、姿勢を変えずに測定できる手動式のトルクレンチ１のレンチ部２の内部構造は、レンチ部２の底部から、レンチ部２に連接した嵌合部材２ｂにかけて、略Ｌ字状の間隙２ｄを設けている。垂直方向の間隙２ｄには、直方体の嵌合部材５が挿入されており、挿入された嵌合部材５は、レンチ部２の上面で、ワッシャー２ｅを挟み込んでねじ２ｆ止めし、レンチ部２の底面では、環状部材であるベアリング５ｂによって係止されている。
【００１７】
なお、垂直方向の間隙２ｄにある嵌合部材５の表面には、ねじ等のトルクを計測するための板状のストレーンゲージ９を設けている。ストレーンゲージ９に接続した配線９ａは、垂直方向の間隙２ｄに直角に設けた水平方向の間隙２ｄを通って、表示盤４の底面の左部に接続する。そして表示盤４は起電力を得るために、表示盤４の底面の右部から配線９ｂを出し乾電池１０に接続する。
【００１８】
レンチ部２の右部を構成する嵌合部材２ｂの表面は、左から順に握り部３の開口部３ｃに内接する環状のメタル軸受６、メタル軸受６を右部で係止すると共に握り本体３ａに内接し、嵌合部材２ｂに適度な回動を与えるゴム製のＯリング７、Ｏリング７の右部で係止する金属製の係止部材８を各々軸通させ、係止部材８の右隣に嵌合部材２ｂの表面に螺合した係止ねじ２ｃを備えている。
【００１９】
メタル軸受６を金属材料に限定せず、強化プラスチック等のように樹脂材料の軸受けにすることができる。また、ゴム製のＯリング７を、金属製又は樹脂製のいずれかの材料からなる波型のワッシャー又はスプリングワッシャーのいずれかのワッシャー等にできることを特徴とする。
【００２０】
係止ねじ２ｃは、回動角度を制限するためのねじである。係止ねじ２ｃの取付高さ、即ち、係止ねじ２ｃのねじ頭の高さは、Ｏリング７の厚さを超えなければよい。また回動角度を制限する仕組みは、表示盤４の下部に必ず接触することで表示盤４の正面が、嵌合部材５の底面の位置に移動することがないため、上向きに取り付けられたねじ等のトルク値を測定する場合等でも測定者の顔の正面が、表示盤４の正面の位置になり、測定者の表示盤４の読み違いを防止することができる。
【００２１】
トルクを計測するための表示盤４の主電源は、握り本体３ａの内の空洞３ｅにある単３型の乾電池１０である。乾電池１０の交換は、グリップ３ｂを握り本体３ａの右部から着脱し、開口した握り本体３ａから交換を行うことができる。
【００２２】
次に、図４から図６で本発明である姿勢を変えずに測定できる手動式のトルクレンチの各実施例を構成する斜視図、平面図、正面図である。以下、各図面に基づいて詳細を説明する。
【００２３】
図４に示したように、本発明である姿勢を変えずに測定できる手動式のトルクレンチ１は、測定者が、筐体等１２の上面に取り付けられたボルト１１のトルクを計測する際の斜視図である。レンチ部２の上面を水平方向の基準とした場合、表示盤４を備えた握り部３の回動角度は０°である。
【００２４】
即ち、本発明であるトルクレンチ１で筐体等１２の上面に取り付けたボルト１１のトルクを計測する場合、筐体等１２の上面に取り付けた嵌合式ボルト５ａをボルト１１のねじ頭に嵌合し、握り部３を押す又は引く前に、握り本体３ａのグリップ３ｂを手動で回動させて表示盤４の位置を常に測定者の顔の正面に合わせることでねじのトルクを正確に計測することができる。
【００２５】
なお、前記握り部３を押すとは奥側に握り部３を押すことである。握り部３を押すことで締め側のねじのトルクを計測できる。一方の握り部３を引くとは手前に握り部３を引くことである。握り部３を引くことで緩める側のねじのトルクを計測できる。
【００２６】
図５に示したのは測定者が、筐体等１２の下面に取り付けられたボルト１１のトルクを姿勢を変えずに測定できる手動式のトルクレンチ１で計測する際の正面図である。図５に示したように、上向きのレンチ部２の上面を水平方向の基準とした場合、表示盤４を備えた握り部３を９０°の上方向に回動し、表示盤４を測定者の正面にすることができる。
【００２７】
即ち、本発明である姿勢を変えずに測定できる手動式のトルクレンチ１は、握り部３を上方向に回動させることで、顔の正面の位置に表示盤４を合わせたまま、筐体等１２ａの下面に取り付けたボルト１１ａのねじトルクを計測することができる。
【００２８】
図６に示したのは測定者が、筐体等１２ｂの上面に取り付けられたボルト１１ｂのトルクを本発明である姿勢を変えずに測定できる手動式のトルクレンチ１で計測する際の正面図である。図６に示したように、下向きのレンチ部２の上面を水平方向の基準とした場合、表示盤４を備えた握り部３を９０°下方向に回動し、表示盤４を測定者の正面にした場合の正面図である。
【００２９】
即ち、本発明である姿勢を変えずに測定できる手動式のトルクレンチ１は、握り部３を下方向に回動させることで、顔の正面の位置に表示盤４を合わせたまま、筐体等１２ｂの上面に取り付けたボルト１１ｂのねじトルクを計測することができる。
【００３０】
図７は、本発明である姿勢を変えずに測定できる手動式のトルクレンチを構成するレンチ部２の部品の分解図である。各部品の詳細は既に説明したため、省略する。
【００３１】
図８は本発明である姿勢を変えずに測定できる手動式のトルクレンチを構成するレンチ部の斜視図である。図８に示したように、レンチ部２の回動に併せて、嵌合部材２ｂに設けた係止ねじ２ｃは、４５°から３１５°の間、即ち２７０°の間で回動し、表示盤４の底面に接触する。よって係止ねじ２ｃの回動角度を２７０°の間に抑えることで、握り部３の回動角度を抑えるとともに、握り部３の上面に設けた表示盤４の回動しすぎによる破損を未然に防止できる。
【００３２】
【発明の効果】
本発明である姿勢を変えずに測定できる手動式のトルクレンチは、以上のような構成であるから、以下の効果が得られる。第１に、本発明である姿勢を変えずに測定できる手動式のトルクレンチは、握りが回動することで表示盤の位置を測定者の顔の正面の位置に向けることができるため、あらゆる面に取り付けたねじやボルト等のねじトルクを正確に計測することができる。
【００３３】
第２に、本発明である姿勢を替えずに測定できる手動式のトルクレンチは、握り部の回動角度を制限しているために、レンチ内部の配線やトルクを表示する表示盤を破損させず、精密なねじ等のトルク値を正確に計測できるトルクレンチを提供することができる。
【図面の簡単な説明】
【図１】本発明である姿勢を変えずに測定できる手動式のトルクレンチの正面図である。
【図２】本発明である姿勢を変えずに測定できる手動式のトルクレンチの平面図である。
【図３】本発明である姿勢を変えずに測定できる手動式のトルクレンチの縦断面図である。
【図４】本発明である姿勢を変えずに測定できる手動式のトルクレンチの斜視図である。
【図５】本発明である姿勢を変えずに測定できる手動式のトルクレンチで、筐体等の下面に取り付けられたボルトのトルクを測定した正面図である。
【図６】本発明である姿勢を変えずに測定できる手動式のトルクレンチで、筐体等の上面に取り付けられたボルトのトルクを測定した正面図である。
【図７】本発明である姿勢を変えずに測定できる手動式のトルクレンチを構成するレンチ部の部品の分解図である。
【図８】本発明である姿勢を変えずに測定できる手動式のトルクレンチを構成するレンチ部の斜視図である。
【符号の説明】
１      トルクレンチ
２      レンチ部
２ａ    ヘッド
２ｂ    嵌合部材
２ｃ    係止ねじ
２ｄ    間隙
２ｅ    ワッシャー
２ｆ    ねじ
２ｇ    リセットボタン
３      握り部
３ａ    握り本体
３ｂ    グリップ
３ｃ    開口部
３ｄ    凹部
３ｅ    空洞
４      表示盤
４ａ    表示盤本体
４ｂ    表示画面
４ｃ    クリアボタン
４ｄ    ダウンボタン
４ｅ    アップボタン
４ｆ    電源ボタン
５      嵌合部材
５ａ    嵌合式ボルト
５ｂ    ベアリング
６      メタル軸受
７      Ｏリング
８      係止部材
９      ストレーンゲージ
９ａ    配線
９ｂ    配線
１０    乾電池
１１    ボルト
１１ａ  ボルト
１１ｂ  ボルト
１２    筐体等
１２ａ  筐体等
１２ｂ  筐体等
【図１】
2004299037.tif 000003
【図２】
2004299037.tif 000004
【図３】
2004299037.tif 000005
【図４】
2004299037.tif 000006
【図５】
2004299037.tif 000007
【図６】
2004299037.tif 000008
【図７】
2004299037.tif 000009
【図８】
2004299037.tif 000010